(57)【要約】【課題】画像閲覧を可能とするために必要なユーザ操作を軽減する【解決手段】管理サーバ（４）は、ユーザが画像管理サービスの会員であるか否かをユーザの身体に関する情報を用いて認証する認証部（４１５）と、会員であると認証されたことをトリガーにして、写真シール作成装置（１）から受信した画像データのうち、ユーザに関連づけられている画像データを画像管理サービスにおいてユーザが利用できる状態に変更する画像管理部（４１４）と、を備える。【選択図】図１
2020009109.tif 000002
【特許請求の範囲】
【請求項１】
写真撮影編集サービスを提供する撮影編集装置から画像データを、通信ネットワークを介して受信し、該画像データを管理する画像管理サービスを提供する管理サーバであって、
アクセスしてきたユーザが、前記画像管理サービスの会員であるか否かを、前記ユーザの身体に関する情報を用いて認証する認証部と、
前記ユーザが、前記認証部により前記会員であると認証されたことをトリガーにして、前記撮影編集装置から受信した画像データのうち、当該ユーザに関連づけられている画像データを、前記画像管理サービスにおいて当該ユーザが利用できる状態に変更する保存処理部と、を備えていることを特徴とする管理サーバ。
【請求項２】
前記ユーザの身体に関する情報は、ユーザの顔または顔の一部の情報であることを特徴とする請求項１に記載の管理サーバ。
【請求項３】
前記ユーザには、複数の会員属性があり、
前記ユーザの会員属性に応じて、前記保存処理部が変更する画像データの数が異なることを特徴とする請求項１または２に記載の管理サーバ。
【請求項４】
前記会員属性には、ユーザが費用を払う有料会員と、ユーザが費用を払わない無料会員とがあり、
前記保存処理部は、前記ユーザが前記有料会員の場合、当該ユーザの画像データの全てを前記画像管理サービスにより当該ユーザが利用できる状態に変更し、前記ユーザが前記無料会員の場合、当該ユーザの画像データのうちの１つを前記画像管理サービスにより当該ユーザが利用できる状態に変更することを特徴とする請求項３に記載の管理サーバ。
【請求項５】
写真撮影編集サービスを提供する撮影編集装置から画像データを、通信ネットワークを介して受信し、該画像データを管理する画像管理サービスを提供する管理サーバと通信可能な携帯端末であって、
当該携帯端末のユーザが、前記画像管理サービスの会員であるか否かを、前記ユーザの身体に関する情報を用いて認証する認証部と、
前記ユーザが、前記認証部により前記会員であると認証されたことをトリガーにして、前記管理サーバが前記撮影編集装置から受信した画像データのうち、当該ユーザに関連づけられている画像データを、前記画像管理サービスにおいて当該ユーザが利用できる状態に変更するように前記管理サーバに指示を送信する指示部と、を備えていることを特徴とする携帯端末。
【請求項６】
写真撮影編集サービスを提供する撮影編集装置から画像データを、通信ネットワークを介して受信し、該画像データを管理する画像管理サービスを提供する管理サーバの制御方法であって、
アクセスしてきたユーザが、前記画像管理サービスの会員であるか否かを、前記ユーザの身体に関する情報を用いて認証する認証ステップと、
前記ユーザが、前記認証ステップにより前記会員であると認証されたことをトリガーにして、前記撮影編集装置から受信した画像データのうち、当該ユーザに関連づけられている画像データを前記画像管理サービスにおいて当該ユーザが利用できる状態に変更する保存処理ステップと、を含むことを特徴とする管理サーバの制御方法。
【請求項７】
写真撮影編集サービスを提供する撮影編集装置から画像データを、通信ネットワークを介して受信し、該画像データを管理する画像管理サービスを提供する管理サーバと通信可能な携帯端末の制御方法であって、
当該携帯端末のユーザが、前記画像管理サービスの会員であるか否かを、前記ユーザの身体に関する情報を用いて認証する認証ステップと、
前記ユーザが、前記認証ステップにより前記会員であると認証されたことをトリガーにして、前記管理サーバが前記撮影編集装置から受信した画像データのうち、当該ユーザに関連づけられている画像データを、前記画像管理サービスにおいて当該ユーザが利用できる状態に変更するように前記管理サーバに指示を送信する指示ステップと、を含むことを特徴とする携帯端末の制御方法。
【請求項８】
請求項５に記載の携帯端末としてコンピュータを機能させるための制御プログラムであって、上記認証部、および上記指示部としてコンピュータを機能させるための制御プログラム。
【請求項９】
請求項８に記載の制御プログラムを記録したコンピュータ読み取り可能な記録媒体。
【発明の詳細な説明】
【技術分野】
【０００１】
本発明は、被写体を撮影した撮影画像またはその編集画像である画像データを管理する写真管理サービスに係る管理サーバなどに関する。
【背景技術】
【０００２】
近年、写真シール作成装置において生成された撮影画像データをユーザに提供するサービスとして、写真の印刷されたプリントシールをユーザに提供するサービスと合わせて、ユーザの所有する携帯端末に撮影画像を表示させることによって画像をユーザに提供するサービスが広がってきている。
【０００３】
このようなサービスは、画像提供サイトにアクセスすることによって可能となる。画像提供サイトでは、写真シール作成装置にて撮影した撮影画像のうち、ユーザによって指定された画像を保存し、ユーザに閲覧可能としている。
【０００４】
なお、上記のような画像提供サイトにアクセスするためには、会員ＩＤおよびパスワードが必要となる。しかし、長期間サイトを利用しなかった場合、ユーザは会員ＩＤおよびパスワードを失念してしまう可能性がある。そこで、特許文献１には、ユーザが写真シール作成装置で撮影した画像を用いてログインを可能とする写真シール作成装置（写真撮影編集装置）が記載されている。
【先行技術文献】
【特許文献】
【０００５】
【特許文献１】特開２０１５−１８４７３１号公報（２０１５年１０月２２日公開）
【発明の概要】
【発明が解決しようとする課題】
【０００６】
確かに、上述した従来技術では、写真シール作成装置にて撮影した画像を用いて画像提供サイトにログインできるので、ユーザが、会員ＩＤやパスワードを失念した場合でも煩雑な処理を行うことなく画像提供サイトにログインできる。
【０００７】
しかし、上記従来技術で可能となるのは、画像提供サイトにログインすることのみである。画像提供サイトにおいて画像閲覧を可能とするための画像保存指示はユーザにより別途行わなければならない。
【０００８】
本発明の一態様は、上記の問題に鑑みてなされたものであり、その目的は、画像提供サイトにおいて画像閲覧を可能とするために必要なユーザ操作を軽減する管理サーバ等を実現することにある。
【課題を解決するための手段】
【０００９】
上記の課題を解決するために、本発明の一態様に係る管理サーバは、写真撮影編集サービスを提供する撮影編集装置から画像データを、通信ネットワークを介して受信し、 該画像データを管理する画像管理サービスを提供する管理サーバであって、アクセスしてきたユーザが、前記画像管理サービスの会員であるか否かを、前記ユーザの身体に関する情報を用いて認証する認証部と、前記ユーザが、前記認証部により前記会員であると認証されたことをトリガーにして、前記撮影編集装置から受信した画像データのうち、当該ユーザに関連づけられている画像データを、前記画像管理サービスにおいて当該ユーザが利用できる状態に変更する保存処理部と、を備えていることを特徴としている。
【００１０】
前記の構成によれば、ユーザが画像管理サービスの会員であると認証された場合、さらなるユーザの操作を要することなく、ユーザに関連づけられている画像データが画像管理サービスにおいてユーザが利用できる状態に変更される。よって、画像管理サービスにおいて画像が提供されるためのさらなるユーザ操作は不要である。これにより、画像管理サービスにおいて画像を提供するために必要なユーザ操作を軽減することができる。
【００１１】
例えば、画像管理サービスにおいて、ユーザに対し画像を閲覧させるサービスを提供している場合、ユーザが画像を閲覧するために必要な操作を軽減することができる。
【００１２】
また、前記の構成によれば、ユーザは身体に関する情報を用いて認証を行うことができるので例えばＩＤおよびパスワードを入力するような認証と比べて、簡易に認証を行うことができる。
【００１３】
本発明の一態様に係る管理サーバでは、前記ユーザの身体に関する情報は、ユーザの顔または顔の一部の情報であるものであってもよい。
【００１４】
前記の構成によれば、ユーザは顔または顔の一部の情報を用いて認証を行うことができる。よって、例えばユーザが有する携帯端末が有する撮影機能を用いて、ユーザが自分の顔または顔の一部を撮影する、という非常に簡単な操作によって短時間に認証を行うことができる。
【００１５】
本発明の一態様に係る管理サーバでは、前記ユーザには、複数の会員属性があり、前記ユーザの会員属性に応じて、前記保存処理部が変更する画像データの数が異なるものであってもよい。
【００１６】
前記の構成によれば、会員の種別に応じて保存状態を変更する画像データの数を異ならせることができる。
【００１７】
本発明の一態様に係る管理サーバでは、前記会員属性には、ユーザが費用を払う有料会員と、ユーザが費用を払わない無料会員とがあり、前記保存処理部は、前記ユーザが前記有料会員の場合、当該ユーザの画像データの全てを前記画像管理サービスにより当該ユーザが利用できる状態に変更し、前記ユーザが前記無料会員の場合、当該ユーザの画像データのうちの１つを前記画像管理サービスにより当該ユーザが利用できる状態に変更するものであってもよい。
【００１８】
前記の構成よれば、有料会員の場合、画像データの全てを画像管理サービスによりユーザが利用できる状態に変更するので、有料会員に対して付加価値を与えることができる。
【００１９】
上記課題を解決するために、本発明の一態様に係る携帯端末は、写真撮影編集サービスを提供する撮影編集装置から画像データを、通信ネットワークを介して受信し、該画像データを管理する画像管理サービスを提供する管理サーバと通信可能な携帯端末であって、当該携帯端末のユーザが、前記画像管理サービスの会員であるか否かを、前記ユーザの身体に関する情報を用いて認証する認証部と、前記ユーザが、前記認証部により前記会員であると認証されたことをトリガーにして、前記管理サーバが前記撮影編集装置から受信した画像データのうち、当該ユーザに関連づけられている画像データを、前記画像管理サービスにおいて当該ユーザが利用できる状態に変更するように前記管理サーバに指示を送信する指示部と、を備えていることを特徴としている。
【００２０】
前記の構成によれば、ユーザが画像管理サービスの会員であると認証された場合、さらなるユーザの操作を要することなく、ユーザに関連づけられている画像データが画像管理サービスにおいてユーザが利用できる状態に変更される。よって、画像管理サービスにおいて画像が提供されるためのさらなるユーザ操作は不要である。これにより、画像管理サービスにおいて画像を提供するために必要なユーザ操作を軽減することができる。
【００２１】
上記課題を解決するために、本発明の一態様に係る管理サーバの制御方法は、写真撮影編集サービスを提供する撮影編集装置から画像データを、通信ネットワークを介して受信し、該画像データを管理する画像管理サービスを提供する管理サーバの制御方法であって、アクセスしてきたユーザが、前記画像管理サービスの会員であるか否かを、前記ユーザの身体に関する情報を用いて認証する認証ステップと、前記ユーザが、前記認証ステップにより前記会員であると認証されたことをトリガーにして、前記撮影編集装置から受信した画像データのうち、当該ユーザに関連づけられている画像データを前記画像管理サービスにおいて当該ユーザが利用できる状態に変更する保存処理ステップと、を含むことを特徴としている。これにより、上述した効果と同様の効果を奏する。
【００２２】
本発明の一態様に係る携帯端末の制御方法は、写真撮影編集サービスを提供する撮影編集装置から画像データを、通信ネットワークを介して受信し、該画像データを管理する画像管理サービスを提供する管理サーバと通信可能な携帯端末の制御方法であって、当該携帯端末のユーザが、前記画像管理サービスの会員であるか否かを、前記ユーザの身体に関する情報を用いて認証する認証ステップと、前記ユーザが、前記認証ステップにより前記会員であると認証されたことをトリガーにして、前記管理サーバが前記撮影編集装置から受信した画像データのうち、当該ユーザに関連づけられている画像データを、前記画像管理サービスにおいて当該ユーザが利用できる状態に変更するように前記管理サーバに指示を送信する指示ステップと、を含むことを特徴としている。これにより、上述した効果と同様の効果を奏する。
【００２３】
本発明の各態様に係る携帯端末は、コンピュータによって実現してもよく、この場合には、コンピュータを上記携帯端末が備える各部（ソフトウェア要素）として動作させることにより上記携帯端末をコンピュータにて実現させる携帯端末の制御プログラム、およびそれを記録したコンピュータ読み取り可能な記録媒体も、本発明の範疇に入る。
【発明の効果】
【００２４】
本発明の一態様によれば、ユーザによる画像保存操作を必要とすることなく、閲覧可能とするための画像保存を行うことができる。よって、ユーザの操作を軽減することができる。
【図面の簡単な説明】
【００２５】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の 第１実施形態に係る携帯端末の要部構成を示すブロック図である。
【図１２】本発明の第１実施形態に係る処理の流れを示すフローチャートである。
【図１３】本発明の第１実施形態に係る会員データベースの例を示す図である。
【図１４】本発明の第１実施形態に係る画像保存判定データベースの例を示す図である。
【図１５】本発明の第１実施形態に係る認証例を説明するための図である。
【図１６】本発明の第１実施形態に係る認証例を説明するための図である。
【図１７】本発明の第２実施形態に係る携帯端末の認証部の要部構成を示すブロック図である。
【図１８】本発明の第２実施形態に係る処理の流れを示すフローチャートである。
【図１９】本発明の第３実施形態に係る処理の流れを示すフローチャートである。
【図２０】（ａ）、（ｂ）は、本発明の第３実施形態における写真シール作成装置での撮影を説明するための図である。
【図２１】本発明の第６実施形態における処理の流れを示すフローチャートである。
【図２２】（ａ）、（ｂ）は、本発明の第５実施形態における画面例を示す図である。
【発明を実施するための形態】
【００２６】
〔実施形態１〕
本発明の第１実施形態について、図１〜図１６を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２７】
（撮影画像管理システム１０）
図２は、本発明の第１実施形態に係る撮影画像管理システム１０の構成を示す図である。図２に示すように、撮影画像管理システム１０は、写真シール作成装置（撮影編集装置）１、携帯端末６、および管理サーバ４を備えている。
【００２８】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス、写真撮影編集サービス）をユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００２９】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３０】
ユーザは、自身の会員属性を、無料会員から有料会員に変更することができる。有料会員は、一定の会費（費用）を継続的に支払う必要がある代わりに、画像提供サイトに無制限に画像を保存できる。本実施形態では、一回の写真撮影によって生成された撮影画像を全て画像提供サイトに保存できる。
【００３１】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００３２】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３３】
画像提供サイトへの画像保存後、ユーザは、携帯端末６または所望の他の装置を用いて画像提供サイトにログインして、画像をダウンロードすることができる。
【００３４】
（写真シール作成装置の構成）
撮影画像管理システム１０を構成する各装置の構成および機能について、以下に詳細に説明する。まず、写真シール作成装置１の詳細について、図３〜図１０を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３５】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００３６】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３７】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３８】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３９】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４０】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４１】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４２】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４３】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４４】
図３に示す編集部１２の構成を正面側の構成とすると、２組のユーザが同時に編集することができるように、編集部１２の正面側と背面側には編集制御に用いられる構成がそれぞれ設けられる。
【００４５】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４６】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４７】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００４８】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００４９】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５０】
（ユーザの移動）
写真シール作成ゲームの流れと、それに伴うユーザの移動について図５を参照して説明する。図５は、ユーザの移動について説明する図である。
【００５１】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５２】
なお、ユーザの画像の撮影においては、すべての撮影がシール紙に印刷される画像を撮影するものとは限らず、携帯端末６に送信するため（または、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５３】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００５５】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５６】
画像の印刷が終了したとき、ユーザは、事後接客部１３に設けられた排出口からシール紙を受け取り、一連の写真シール作成ゲームを終えることになる。
【００５７】
（各部材の構成）
次に、写真シール作成装置１に備えられる各部材の構成について説明する。
【００５８】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００５９】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６０】
正面パネル４１のほぼ中央には撮影・表示ユニット８１が設けられる。撮影・表示ユニット８１は、カメラ９１、正面ストロボ９２、およびタッチパネルモニタ９３から構成される。
【００６１】
カメラ９１は、ＣＣＤ（Charge Coupled Device）またはＣＭＯＳ（Complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６２】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６３】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６４】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６５】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６６】
足元ストロボ８６の右側には、ユーザがお金を投入する硬貨投入返却口８７が設けられる。
【００６７】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００６８】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００６９】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７０】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７１】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７２】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７３】
（事後接客部１３）
編集部１２の左側には事後接客部１３が設けられる。図９は、写真シール作成装置１に備えられる事後接客部１３の構成例を示す図である。
【００７４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００７５】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７６】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７７】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７８】
スピーカ１６５は、事後接客時の案内音声、ＢＧＭ、効果音等の音を出力する。
【００７９】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８０】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８１】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００８２】
通信部２０３はインターネットなどのネットワークのインタフェースであり、制御部２０１による制御に従って外部の装置と通信を行う。
【００８３】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８４】
ＲＯＭ２０６には、制御部２０１において実行されるプログラムおよびデータが記憶されている。ＲＡＭ２０７は、制御部２０１が処理するデータおよびプログラムを一時的に記憶する。
【００８５】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８６】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８７】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８８】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００８９】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９０】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信しても良い。
【００９１】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００９２】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９３】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９４】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９５】
また、印刷部２１１は、印刷制御に係る処理において、シール紙への撮影画像（または編集画像）の印刷に加え、欄外（シール紙の端部など）に、管理サーバ４へ送信した画像を取得するためのＵＲＬ（Uniform Resource Locater）、および、シールＩＤ（画像取得用ＩＤ）などを印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９６】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９７】
なお、印刷部２１１は、画像を取得するための情報として、ＵＲＬではなく、例えば、所定のメールアドレスまたはＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００９８】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【００９９】
なお、管理サーバ４は、記憶部４０２の会員データベース４２２に格納された会員情報を写真シール作成装置１に定期的に送信してもよい。なお、写真シール作成装置１が、会員情報を定期的にダウンロードしてもよい。この場合、管理サーバ４と写真シール作成装置１とは、通信負荷が比較的少ない午前中や夜間に通信を行い、会員情報を送受信することが望ましい。
【０１００】
（制御部４０１の詳細）
図１に示すように、制御部４０１は、通信制御部４１１、メール作成部４１２、ウェブページ作成部４１３、画像管理部（保存処理部）４１４、および認証部４１５を備えている。
【０１０１】
（通信制御部４１１）
通信制御部４１１は、通信部４０３による通信を制御する。
【０１０２】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１０３】
（ウェブページ作成部４１３）
ウェブページ作成部４１３は、携帯端末６、または、写真シール作成装置１（後述する各種モニタ）に表示されるウェブページを作成する。本実施形態では、ウェブページ作成部４１３は、ウェブページデータベース４２３に格納されているデータを用いて、携帯端末６または写真シール作成装置１から受信したアクセス要求に応じたウェブページを作成し、通信制御部４１１に出力する。詳細は後述するが、ウェブページ作成部４１３は、ユーザの会員種別に応じたウェブページを作成する。
【０１０４】
なお、以下において「ページ」は、例えば、ウェブページのように、管理サーバ４が携帯端末６等の通信端末または写真シール作成装置１に送信して表示するためのデータを意味する。上記ページには、通常、テキストデータおよび画像データが含まれており、さらに、音声データおよび動画データが含まれていてもよい。
【０１０５】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。換言すれば、写真シール作成装置１から受信した画像データのうち、当該ユーザに関連づけられている画像データを、画像管理サービスにおいて当該ユーザが利用できる状態に変更する。
【０１０６】
（認証部４１５）
認証部４１５は、例えば、画像管理サービスへのログイン時に携帯端末６からユーザ認証の要求を受け付け、ユーザ認証を行うものである。認証部４１５は、携帯端末６から送信された画像データ（認証用撮影画像、ログイン画像）を用いて、予め登録されている会員であるか否かを判定し、画像提供サイトへのアクセス（画像管理サービスへのログイン）、およびユーザのマイページへの未保存画像の保存を行うものであり、画像データ取得部４１５１、特徴量抽出部４１５２、および照合部４１５３を含む。なお、本実施形態では、ログイン画像および個人識別用データとしてユーザの顔画像を想定しているが、これに限られるものではない。後述するように、ユーザの顔画像以外をログイン画像および個人識別用データとしてもよい。
【０１０７】
画像データ取得部４１５１は、通信部４０３を介して携帯端末６から、携帯端末６にて撮影された認証用撮影画像の画像データを取得し、特徴量抽出部４１５２に送信する。
【０１０８】
特徴量抽出部４１５２は、画像データ取得部４１５１から送信された画像データの特徴量を抽出し、照合部４１５３に送信する。
【０１０９】
照合部４１５３は、特徴量抽出部４１５２から送信された画像データの特徴量と、会員データベース４２２に保存されている、ユーザの個人識別用データとを照合する。
照合の手法は、どのような技術を用いて行ってもよいが、例えば、顔の輪郭点が各々一致するか否か比較する、特定の器官の輪郭点（網膜等）が各々一致するかを比較する等が挙げられる。そして、比較の結果、信頼度が閾値以上である場合、送信された画像データの特徴量と、会員データベース４２２に保存されている、ユーザの個人識別用データとが合致すると判断する。そして、特徴量と個人識別用データとが合致する場合、照合部４１５３は、ユーザ認証が成功したと判断し、携帯端末６から画像提供サイトのユーザのマイページへのアクセスを許可（ログイン）するとともに、写真シール作成装置１にて撮影された撮影画像のうち、ユーザのマイページに保存されていない撮影画像を、ユーザのマイページへ保存する指示を画像管理部４１４に送信する。マイページとは、画像提供サイトにおけるユーザ毎の固有のページである。ユーザはマイページにアクセスすることにより、写真シール作成装置１で撮影し、保存した撮影画像を閲覧等することができる。
【０１１０】
一方、特徴量と個人識別用データとが合致しない場合、照合部４１５３は、ユーザ認証が失敗した旨を携帯端末６に通知する。
【０１１１】
なお、ユーザ認証が所定の回数、失敗した場合は、会員ＩＤおよびパスワードによる認証を求めてもよい。または、複数の種類の認証が可能である場合、他の認証方法に認証方法を切り替える操作を行って、当該他の認証方法による認証を求めてもよい。
【０１１２】
（記憶部４０２の詳細）
図１に示すように、記憶部４０２は、メールデータベース４２１、会員データベース４２２、ウェブページデータベース４２３、画像データベース４２４、および画像保存判定データベース４２５を含む。
【０１１３】
（メールデータベース４２１）
メールデータベース４２１は、ユーザに送信するメールを作成するための各種データを格納している。
【０１１４】
（会員データベース４２２）
会員データベース４２２は、画像提供サイトの会員であるユーザに関する各種情報（会員情報）を格納している。図１３に、会員データベース４２２の例を示す。図１３に示すように、本実施形態では、会員データベース４２２には、写真シール作成装置１を利用するユーザを識別する個人識別用データ（例えば顔情報）と、ユーザを特定する情報（ユーザ特定情報）が、ユーザ別に格納されている。ユーザ特定情報としては、例えば、ユーザの会員ＩＤ、メールアドレス、ニックネーム、パスワード、生年月日、住所、会員属性、入会日、および、ユーザが保有する携帯端末の端末ＩＤなどを挙げることができる。また、会員属性としては、例えば、有料会員および無料会員などを挙げることができる。
【０１１５】
（ウェブページデータベース４２３）
ウェブページデータベース４２３は、携帯端末６または写真シール作成装置１（後述する各種モニタ）に表示される画像提供サイトのウェブページを作成するための各種データを格納している。
【０１１６】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１１７】
図示はしないが、記憶部４０２は、写真シール作成装置１から受信した画像などのデータを一時的に保存する一時保存データベースも有している。
【０１１８】
（画像保存判定データベース４２５）
画像保存判定データベース４２５には、写真シール作成装置１によって撮影された撮影画像をユーザがマイページに保存したか否かが記録されている。図１４に画像保存判定データベース４２５の例を示す。図１４に示すように、画像保存判定データベース４２５には、会員ＩＤ、パスワード、メールアドレス、シールＩＤ、シール機で撮影した撮影日時、撮影画像データ、および画像保存の有無が記録されている。例えば、会員ＩＤ「００１」のユーザが撮影した画像データが、Ａ１、Ａ２、Ａ３と３枚あり、そのうちのＡ１をマイページに保存していた場合、図１４に示すように、「撮影画像データ」Ａ１に対応する「画像保存の有無」には保存されていることを示す情報（図１４では○で示す）が記録され、保存されていないＡ２およびＡ３に対応する「画像保存の有無」には保存されていないことを示す情報（図１４では×で示している）が記録される。なお、保存されていない場合は「NULL」と記録し、保存された場合は、当該「NULL」が削除されるものであってもよい。
【０１１９】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１２０】
（携帯端末６）
図１１は、本発明の実施形態１に係る携帯端末６の要部構成を示すブロック図である。この図に示すように、携帯端末６は、主に、制御部６０１、記憶部６０２、通信部６０３、入力部６０４、表示部６０５、およびカメラ部６０６を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。カメラ部６０６は、撮影を行うものである。
【０１２１】
（制御部６０１の詳細）
図１１に示すように、制御部６０１は、通信制御部６１１、入力制御部６１２、および表示制御部６１３を備えている。
【０１２２】
通信制御部６１１は、通信部６０３による通信を制御する。入力制御部６１２は、入力部６０４およびカメラ部６０６における情報入力を制御する。例えば、カメラ部６０６により撮影された画像を通信部６０３を介して管理サーバ４に送信する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１２３】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員または有料会員として登録する。その際、ユーザ自身の顔画像を個人識別用データとして登録することができる。
【０１２４】
（ログインから画像保存までの流れ）
次に、図１２を参照して、本実施形態における画像提供サイトへのログインからマイページへの画像保存までの処理の流れを説明する。図１２は処理の流れを示すフローチャートである。なお、ここで示すフローチャートは、ユーザが写真シール作成装置１でプレイした後、携帯端末６を用いて画像提供サイトにログインする場合を示す。
【０１２５】
図１２に示すように、まず、ユーザは、携帯端末６にてログインに用いる顔画像を撮影する（Ｓ１０１）。携帯端末６は撮影された顔画像（認証用撮影画像）の画像データを、携帯端末６を識別する端末ＩＤとともに管理サーバ４に送信する。なお、携帯端末６にて画像データから認証用の特徴量を抽出し、抽出した特徴量情報のみを管理サーバ４に送信する構成であってもよい。特徴量の抽出は、例えば、携帯端末６にインストールされたアプリケーションにより実行することができる。画像データおよび端末ＩＤを受信した管理サーバ４の認証部４１５は、会員データベース４２２を参照して、当該端末ＩＤに対応する個人識別用データ（特徴量）が登録されているか否かを確認する（Ｓ１０２）。登録がなければ（Ｓ１０２でＮＯ）、管理サーバ４は携帯端末６に対し、個人識別用データの登録を求める案内を表示させる（Ｓ１０３）。案内表示は、顔情報を登録するようにユーザに撮影を行わせ、ユーザ自身の顔を会員データベース４２２に登録させるものである。なお、顔情報の登録を写真シール作成装置１から行える、すなわち、写真シール作成装置１で撮影した画像を登録に利用することができる旨を案内してもよい。これにより写真シール作成装置１の利用へとつなげることができる。
【０１２６】
一方、登録があれば（Ｓ１０２でＹＥＳ）、認証部４１５の特徴量抽出部４１５２が受信した画像データから特徴量を抽出する（Ｓ１０４）。次に、照合部４１５３は、特徴量抽出部４１５２が抽出した特徴量と、会員データベース４２２に格納されている特徴量（個人識別用データ）とを比較し、両者が合致するか否かを判定する（Ｓ１０５、認証ステップ）。合致しない場合（Ｓ１０５でＮＯ）、管理サーバ４は、携帯端末６に対しログイン失敗を示す表示をさせる（Ｓ１０６）。一方、合致する場合（Ｓ１０５でＹＥＳ）、認証部４１５は、画像保存判定データベース４２５を参照して当該ユーザに未保存画像があるか否かを確認する（Ｓ１０７）。そして、未保存画像があれば（Ｓ１０７でＹＥＳ）、画像管理部４１４は、当該画像をユーザのマイページ、すなわち画像データベース４２４に格納する（Ｓ１０８、保存処理ステップ）。
【０１２７】
そして、管理サーバ４は、画像提供サイトのトップページを示す情報を携帯端末６に送信し（Ｓ１０９）、携帯端末６では画像提供サイトのトップページが表示される（Ｓ１１０）。
【０１２８】
なお、上記では、マイページに画像を保存する処理として説明したが、マイページに加えて、またはマイページに代えて、ユーザの携帯端末６に画像を保存してもよい。この場合、ステップＳ１０９において、画像提供サイトのトップページに加え、当該画像の画像データが携帯端末６に対し送信される。
【０１２９】
以上のように、本実施形態に係る管理サーバ４は、写真撮影編集サービスを提供する撮影編集装置から画像データを、通信ネットワークを介して受信し、 該画像データを管理する画像管理サービスを提供する管理サーバであって、アクセスしてきたユーザが、前記画像管理サービスの会員であるか否かを、前記ユーザの身体に関する情報を用いて認証する認証部４１５と、前記ユーザが、前記認証部４１５により前記会員であると認証されたことをトリガーにして、写真シール作成装置１から受信した画像データのうち、当該ユーザに関連づけられている画像データを、前記画像管理サービスにおいて当該ユーザが利用できる状態に変更する画像管理部４１４と、を備えている。
【０１３０】
（ユーザ認証の形態の例）
上記では、ユーザを認証する方法として顔認証（顔画像の比較）を用いる例を説明した。本実施形態ではユーザを認証する方法は顔認証に限られるものではない。例えば、顔の一部を認証に用いるものであってよいし、ユーザの動き（ジェスチャー）等を用いるものであってもよい。具体的に図１５、図１６を参照して説明する。図１５および図１６は、ユーザ認証の具体例を説明するための図である。
【０１３１】
図１５は、虹彩を認証用の個人識別用データとして登録し、認証を行う例を示している。図１５の１５０１に示す虹彩画像は、例えば、写真シール作成装置１にて照明条件を整えて（フラッシュをオフにして）撮影することにより生成可能である。そして、このようにして撮影により得られた虹彩画像から個人識別用データを生成し、管理サーバ４の会員データベース４２２に登録することができる。
【０１３２】
その後、認証を行う場合、携帯端末６で自身の虹彩（目の付近）を撮影し、写真シール作成装置１に送信する。写真シール作成装置１では、受信した虹彩画像から特徴量を抽出し、登録されている個人識別用データと照合することによりユーザ認証を行うことができる。
【０１３３】
図１６の（ａ）は、ユーザの身体の一部（例えば、顔）と、ユーザの姿勢（ポーズ）との組合せでユーザ認証を行う形態の一例を示す。同図では、ユーザがいわゆるＶサインのポーズをとって、認証用画像を撮影している様子を示している。このように、身体の一部による認証（例えば、顔認証）と、ユーザの姿勢（ポーズ）による認証とを複合的に組合せてユーザ認証を行っても良い。図１６の（ｂ）は、指先で宙にＺの文字を描くユーザの動き（ジェスチャー）を示している。このように、上述した身体の一部による認証と、このユーザの動きによる認証とを組合せて複合的にユーザ認証を行っても良い。具体的には、所定の時間で、動画像から変化のある部分を抽出し、その変化の特徴を用いて認証を行ってもよい。
【０１３４】
また、図１６の（ｃ）は、ユーザの画像と、ユーザ特有のサイン（落書き）と、が含まれている認証用画像の例を示している。同図では、ユーザ特有のサインとして、丸を書いて、その丸の中に、「、（テン）」をうったサインＳが示されている。このように、上述した身体の一部による認証と、ユーザ特有のサイン（落書き）とを複合的に組合せてユーザ認証を行っても良い。
【０１３５】
また、顔の一部は、虹彩だけでなく、目、鼻、口、網膜、指紋、またはこれらの組み合わせであってもよい。身体の姿勢、例えばポーズ、顔の向きを用いることもできるし、手を振る動作、目線をカメラに向ける等の動きを用いることもできる。さらに、認証用画像は静止画であってもよいし、動画像（ライブビューＬＶ）であってもよい。
【０１３６】
以上のように身体の一部による認証と、別の認証方法と、を複合的に組合せることにより、身体の一部による認証の精度があまり高くなくてもユーザ認証の成功率を高めることができる。
【０１３７】
〔実施形態２〕
次に、図１７および図１８を参照して、本発明の他の実施形態について、以下に説明する。なお、説明の便宜上、上記実施形態にて説明した部材と同じ機能を有する部材については、同じ符号を付記し、その説明を繰り返さない。
【０１３８】
本実施形態では、携帯端末６において、ユーザの撮影のみではなく、ログインのためのユーザ認証も行う。換言すれば、携帯端末６に画像管理サービスに関するアプリケーションがインストールされており、当該アプリケーションの機能により画像管理サービスへのログインを行うことができるものである。
【０１３９】
図１７に、本実施形態に係る携帯端末６の制御部６０１に含まれる認証部６１４の要部構成を示す。本実施形態では、上述した図１１における制御部６０１に図１７に示す認証部６１４が含まれる。
【０１４０】
そして、図１７に示すように、認証部６１４には、画像取得部６１４１、特徴量抽出部６１４２、認証用特徴量取得部６１４３、および照合部６１４４が含まれる。
【０１４１】
画像取得部６１４１は、カメラ部６０６を介して撮像された画像（認証用撮影画像）を取得し、特徴量抽出部６１４２に送信する。
【０１４２】
特徴量抽出部６１４２は、画像取得部６１４１から送信された画像の特徴量を抽出し、照合部６１４４に送信する。
【０１４３】
認証用特徴量取得部６１４３は、管理サーバ４から携帯端末６に対応する認証量特徴量（個人識別用データ）を取得し、照合部６１４４に送信する。
【０１４４】
照合部６１４４は、特徴量抽出部６１４２から送信された画像の特徴量と、認証用特徴量取得部６１４３から送信された個人識別用データとを照合する。そして、特徴量と個人識別用データとが合致した場合、照合部６１４４は、ユーザ認証が成功したと判断し、携帯端末６から画像提供サイトのユーザのマイページへのアクセスを許可するとともに、写真シール作成装置１にて撮影された撮影画像のうち、ユーザのマイページに保存されていない撮影画像を、ユーザのマイページへ保存する指示を管理サーバ４に送信する。一方、特徴量と個人識別用データとが合致しない場合、照合部６１４４は、ユーザ認証が失敗した旨を表示部６０５に表示させる。
【０１４５】
次に、図１８を参照して、本実施形態における処理の流れを説明する。図１８は、本実施形態における処理の流れを示すフローチャートである。なお、ここで示すフローチャートは、図１２に示したフローチャートと同様に、ユーザが写真シール作成装置１でプレイした後、携帯端末６を用いて画像提供サイトにログインする場合を示す。
【０１４６】
図１８に示すように、まず、ユーザは、携帯端末６にてログインに用いる顔画像を撮影する（Ｓ２０１）。携帯端末６の特徴量抽出部６１４２は、撮影された顔画像（認証用撮影画像）の画像データから特徴量を抽出する（Ｓ２０２）。次に、携帯端末６の認証用特徴量取得部６１４３は、管理サーバ４に対し携帯端末６に対応する認証用特徴量（個人識別用データ）を要求する（Ｓ２０３）。個人識別用データの要求を受けた管理サーバ４は、要求元の携帯端末６に対応する個人識別用データが会員データベース４２２にあるか否かを判断する（Ｓ２０４）。そして、対応する個人識別用データがなければ（Ｓ２０４でＮＯ）、携帯端末６に対し、個人識別用データの登録を求める案内を表示させる（Ｓ２０５）。一方、対応する個人識別用データがあれば（Ｓ２０４でＹＥＳ）、管理サーバ４は当該個人識別用データを携帯端末６に送信する（Ｓ２０６）。個人識別用データを受信した携帯端末６は、照合部６１４４において、ステップＳ２０２で抽出された特徴量と受信した個人識別用データが合致するか否かを判定する（Ｓ２０７、認証ステップ）。合致しない場合（Ｓ２０７でＮＯ）、携帯端末６は表示部６０５において、ログイン失敗を示す表示を行う（Ｓ２０８）。一方、合致する場合（Ｓ２０７でＹＥＳ）、認証部６１４は、管理サーバ４から未保存画像を取得するとともに、画像提供サイトのトップページが表示する（Ｓ２０９）。さらに、管理サーバ４に対し、未保存画像の保存指示を送信する（Ｓ２１０、指示ステップ）。携帯端末６から未保存画像の保存指示を受領した管理サーバ４は、未保存画像をユーザのマイページ、すなわち画像データベース４２４に格納する（Ｓ２１１）。
【０１４７】
以上のように、本実施形態に係る携帯端末６は、写真撮影編集サービスを提供する写真シール作成装置１から画像データを、通信ネットワークを介して受信し、該画像データを管理する画像管理サービスを提供する管理サーバ４と通信可能な携帯端末６であって、当該携帯端末６のユーザが、前記画像管理サービスの会員であるか否かを、前記ユーザの身体に関する情報を用いて認証し、前記ユーザが、前記認証部により前記会員であると認証されたことをトリガーにして、前記管理サーバ４が前記写真シール作成装置１から受信した画像データのうち、当該ユーザに関連づけられている画像データを、前記画像管理サービスにおいて当該ユーザが利用できる状態に変更するように前記管理サーバ４に指示を送信する認証部（指示部）６１４を備えている。
【０１４８】
〔実施形態３〕
次に、図１９を参照して本発明の他の実施形態について、以下に説明する。なお、説明の便宜上、上記実施形態にて説明した部材と同じ機能を有する部材については、同じ符号を付記し、その説明を繰り返さない。
【０１４９】
本実施形態では、ログイン画像に複数の顔画像が含まれている場合の処理を説明する。図１９に本実施形態における処理の流れを示す。図１９は本実施形態における処理の流れを示すフローチャートである。
【０１５０】
図１９に示すように、まず、ユーザは、携帯端末６にてログインに用いる顔画像を撮影する（Ｓ３０１）。携帯端末６は撮影された顔画像（認証用撮影画像）の画像データを、管理サーバ４に送信する。このとき、携帯端末６の特定するための端末ＩＤも送信してもよい。画像データを受信した管理サーバ４の認証部４１５は、まず、当該画像データに含まれるユーザが１人か複数かを判定する（Ｓ３０２）。複数であれば、認証部４１５は、携帯端末６を特定する端末ＩＤが含まれていたか否かを判定する（Ｓ３０３）。端末ＩＤが含まれていれば、認証部４１５は、会員データベース４２２を参照し、当該端末ＩＤに対応する個人識別用データを用いて画像データに含まれる顔画像から一人を特定し、ステップＳ３０５に進む。一方、端末ＩＤが含まれていなければ（Ｓ３０３でＮＯ）、認証部４１５は、所定の基準により複数の顔のうちの何れかを特定する（Ｓ３０４）。所定の基準とは、例えば、顔のサイズ、位置、向き等が挙げられる。顔のサイズであれば、大きく撮影されている方を特定し、顔の位置であれば、画像の中心にある方を特定し、顔の向きであれば、カメラを向いている方を特定する。そして、ステップＳ３０５に進む。また、ステップＳ３０２において人数が１人であった場合（Ｓ３０２でＮＯ）もステップＳ３０５に進む。
【０１５１】
そして、認証部４１５は、会員データベース４２２を参照して、特定されたユーザに対応する個人識別用データ（特徴量）が登録されているか否かを確認する（Ｓ３０５）。登録がなければ（Ｓ３０５でＮＯ）、管理サーバ４は写真シール作成装置１に対し、個人識別用データの登録を求める案内を表示させる（Ｓ３０６）。一方、登録があれば（Ｓ３０５でＹＥＳ）、認証部４１５の特徴量抽出部４１５２が受信した画像データから特徴量を抽出する（Ｓ３０７）。次に、照合部４１５３は、特徴量抽出部４１５２が抽出した特徴量と、会員データベース４２２に格納されている特徴量（個人識別用データ）とを比較し、両者が合致するか否かを判定する（Ｓ３０８）。合致しない場合（Ｓ３０８でＮＯ）、管理サーバ４は、写真シール作成装置１に対しログイン失敗を示す表示をさせる（Ｓ３０９）。一方、合致する場合（Ｓ３０８でＹＥＳ）、認証部４１５は、画像保存判定データベース４２５を参照して当該ユーザに未保存画像があるか否かを確認する（Ｓ３１０）。そして、未保存画像があれば（Ｓ３１０でＹＥＳ）、画像管理部４１４は、当該画像をユーザのマイページ、すなわち画像データベース４２４に格納する（Ｓ３１１）。
【０１５２】
そして、管理サーバ４は、画像提供サイトのトップページを示す情報を携帯端末６に送信し（Ｓ３１２）、携帯端末６では画像提供サイトのトップページが表示される（Ｓ３１３）。
【０１５３】
〔実施形態４〕
本実施形態では、写真シール作成装置１で撮影したユーザの顔画像を認証用の顔画像、すなわち、管理サーバ４の会員データベース４２２に格納される個人識別用データとするものである。なお、写真シール作成装置１におけるユーザの撮影は、会員データベース４２２に登録するために行われるものであってもよいし、写真シール作成装置１でのプレイで撮影した画像を登録に用いるものであってもよい。なお、プレイでの撮影を用いる場合は、ユーザによる編集前の画像を用いる。
【０１５４】
写真シール作成装置１において、管理サーバ４の会員データベース４２２に格納される個人識別用データとする画像を撮像した場合、写真シール作成装置１は当該画像を管理サーバ４に送信する。このときに当該ユーザのメールアドレス、または携帯端末６の端末ＩＤと紐づけて送信する。そして、当該画像を受信した管理サーバ４は、紐づけられたメールアドレスまたは端末ＩＤを用いてユーザを特定し、会員データベース４２２に、特定したユーザと対応付けて、当該画像を個人識別用データとして格納する。
【０１５５】
なお、写真シール作成装置１において撮像される画像に複数のユーザが含まれる場合、ユーザの顔が重ならないように枠等を設ける構成であってもよい。図２０に例を示す。図２０の（ａ）は、１枚の画像に２人のユーザが含まれる例を示し、図２０の（ｂ）は、１枚の画像に３人のユーザが含まれる例を示す。図２０の（ａ）および（ｂ）に示すように、１枚の画像に複数のユーザが含まれる場合、写真シール作成装置１は人数分の枠２００１を表示し、それぞれの枠２００１に１人のユーザが入るように誘導してもよい。これにより、ユーザの顔が重なり、顔画像から特徴量を抽出できなくなることを防止することができる。
【０１５６】
〔実施形態５〕
上述した顔画像を用いれば、ユーザのマイページにおけるアルバムについて、自動振り分けを行うことができる。本実施形態では、このアルバムの自動振り分けについて説明する。
【０１５７】
上述したように、マイページとは、ユーザ毎に写真シール作成装置１で撮影した撮影画像（または編集画像）をユーザが携帯端末６等により閲覧できるページである。子のマイページには、アルバム機能が備わっており、マイページの中でユーザが複数のアルバムを設定し、アルバムごとに名称を付与し、画像を保存することができる。
【０１５８】
そこで、本実施形態では、写真シール作成装置１で撮影された撮影画像が管理サーバ４に送信され、携帯端末６から管理サーバ４にて管理する画像管理サービスにログインがあったときに、撮影画像に映っている被写体の顔を認証し、ユーザのマイページにおける何れかのアルバムに自動に振り分ける。
【０１５９】
ユーザが、マイページ内に「デート」、「友人Ａ」、「友人Ｂ」の３つアルバムを設定し、「デート」には恋人と撮影した画像を、「友人Ａ」には友人であるＡと撮影した画像を、「友人Ｂ」には友人であるＢと撮影した画像を保存しているとする。
【０１６０】
この場合に、自動保存される画像に写っているのが当該ユーザと恋人である場合、管理サーバ４は、当該画像から当該恋人の顔を認証し、自動的にアルバム「デート」に当該画像を保存する。
【０１６１】
同様に、自動保存される画像に写っているのが当該ユーザとＡである場合、管理サーバ４は、当該画像からＡの顔を認証し、自動的にアルバム「友人Ａ」に当該画像を保存する。
【０１６２】
また、自動保存される画像に写っているのが当該ユーザとＡとＢである場合、当該画像をアルバム「友人Ａ」とアルバム「友人Ｂ」との両方に保存してもよい。なお、アルバムが無い場合、例えばＣが画像に写っていた場合、当該Ｃのアルバムを作成するか否かをユーザに選択させるものであってもよい。
【０１６３】
なお、画像に写っているが恋人であるか否か、Ａであるか否か、Ｂであるか否かは、それぞれのアルバムに格納されている画像に写っている恋人、Ａ、Ｂの顔画像と比較することにより判断することができる。
【０１６４】
また、マイページ内のアルバムに自動的に保存するのではなく、当該アルバムに保存するか否かをユーザに確認し、ユーザの選択により保存されるものであってもよい。
【０１６５】
また、自動保存される画像に写っているのが当該ユーザとＡとである場合に、当該ユーザのアルバム「友人Ａ」に当該画像を保存するとともに、Ａのマイページのアルバムにも当該画像を保存してもよい。
【０１６６】
なお、画像に複数の顔が含まれている場合、何れかの顔を優先し、当該顔のユーザのアルバムに当該画像を保存してもよい。例えば、画像にＡとＢとが含まれ、Ａが優先する場合、アルバム「友人Ａ」に当該画像を保存してもよい。
【０１６７】
優先するかどうかは、例えば、顔のサイズ（大きく写っている方を優先）、顔の位置（画像の中心にある方を優先）、顔の向き（カメラを向いている方を優先）によって判断してもよいし、それぞれのユーザの会員属性（有料会員を優先）、会員の存続期間（長い方を優先）、写真シール作成装置１でのプレイ回数（回数の多い方を優先）、写真シール作成装置１におけるプレイ頻度（所定期間内におけるプレイ回数の多い方を優先）によって判断してもよいし、これらを組み合わせて判断してもよい。また、上述した例において、逆の場合を優先してもよい。すなわち、顔のサイズであれば、小さく写っている方を優先してもよいし、顔の位置であれば、画像の中心から離れている方を優先してもよいし、顔の向きであれば、カメラを向いていない方を優先してもよい。
【０１６８】
以上のように、本実施形態に係る管理サーバ４は、ログインがあった時に、写真シール作成装置１にて撮影された撮像画像を、当該撮像画像に含まれる顔画像を用いて当該顔画像が含まれる画像の保存領域に保存するものである。
【０１６９】
〔実施形態６〕
次に、図２１および図２２を参照して、写真シール作成装置１にて撮影を行ったユーザ以外のユーザが撮影画像を取得すること（以降、代行取得とも呼ぶ）を防止する構成について説明する。本来、画像の取得は画像管理サービスの会員しか行えない。しかし、代行取得を行えば、会員である取得者が会員でないユーザの撮影画像を取得し、当該ユーザに渡すことができてしまう。
【０１７０】
画像管理サービスへのログインに上述した顔画像を用いることにより、ログインしたユーザと取得対象となっている画像に写っているユーザとが同じか否かを判断することができる。これにより、ログインしたユーザによる画像取得が代行取得にあたるか否かを判断することができる。
【０１７１】
より詳細に、図２１を参照して説明する。図２１は、画像取得が代行取得に当たるか否かを判断する処理の流れを示すフローチャートである。
【０１７２】
図２１に示すように、まず、管理サーバ４は、ログインに用いられた画像（ログイン画像）を取得する（Ｓ４０１）。次に、管理サーバ４は取得対象となっている画像（取得対象画像）にログイン画像が含まれるか否かを判断する（Ｓ４０２）。具体的には、ログイン画像に含まれている顔画像が、取得対象画像に含まれているか否かを判断する。取得対象画像にログイン画像に含まれている顔画像が含まれている場合（Ｓ４０２でＹＥＳ）、管理サーバ４は代行取得ではないと判断し、代行取得判定フローを終了する。
【０１７３】
一方、取得対象画像にログイン画像に含まれている顔画像が含まれていない場合（Ｓ４０２でＮＯ）、管理サーバ４は当該画像取得は代行取得であると判断し（Ｓ４０３）、当該ログインを行ったユーザを代行取得テーブルに登録する（Ｓ４０４）。代行取得テーブルとは、代行取得の履歴が記録されているテーブルであり、代行取得が行わるたびに更新されるものである。代行取得テーブルには、例えば、代行取得を行ったユーザのユーザーアカウント、代行取得の回数である代行回数、代行取得と判断された画像に紐づけられたメールアドレスの数（ユニークメールアドレス数）である代行人数が対応付けて記録されている。
【０１７４】
そして、管理サーバ４は、ペナルティ判定を行い（Ｓ４０５）、その結果を携帯端末６に通知し、表示させる（Ｓ４０６）。ペナルティ判定とは、ユーザが過去に行った代行取得の回数、期間等によりユーザに与えるペナルティを判定するものである。
【０１７５】
例えば、所定期間における代行回数が１０回以下の場合は「ペナルティ無し」、１１回以上２０回未満の場合は「注意」、２１回以上の場合は「警告」というようにすることができる。
【０１７６】
図２２にペナルティの表示例を示す。図２２の（ａ）は「注意」の表示例であり、図２２の（ｂ）は「警告」の表示例である。図２２に示すように、「注意」の場合は、ユーザに注意喚起を行い、「警告」の場合は画像取得できない旨を表示する。なお、「注意」は黄色（イエロー）で表示し、「警告」は赤色（レッド）で表示してもよい。また、ペナルティ無しであれば緑色（グリーン）で表示してもよい。
【０１７７】
以上のように、本実施形態に係る管理サーバ４は、写真シール作成装置１にて撮影された撮像画像を取得するためにログインがあったとき、当該ログインに用いられた画像と、取得対象となっている画像とを比較し、ログインに用いられた画像に含まれている顔画像が、取得対象となっている画像に含まれている否かに応じて、前記取得の適否を判定するものである。
【０１７８】
なお、ログイン画像と取得対象画像とに含まれる顔が相違する場合、ログインそのものができない構成であってもよい。この場合、「あなたが写っていないよ！他人も？」といった注意喚起表示を行ってもよい。
【０１７９】
〔実施形態７〕
また、ログイン画像に含まれる顔画像を用いて、会員データベース４２２に含まれるニックネーム等の情報を取得し、当該ニックネームを当該画像にタグ付け設定するものであってもよい。タグ付けされることで、ＳＮＳ等への公開設定時に、タグを利用者が都度入力することなく、当該画像を利用する事ができる。
【０１８０】
〔ソフトウェアによる実現例〕
管理サーバ４および携帯端末６の制御ブロック（特に制御部４０１および制御部６０１）は、集積回路（ＩＣチップ）等に形成された論理回路（ハードウェア）によって実現してもよいし、ソフトウェアによって実現してもよい。
【０１８１】
後者の場合、管理サーバ４および携帯端末６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１８３】
１  写真シール作成装置
４  管理サーバ
６  携帯端末
１０  撮影画像管理システム
４１４  画像管理部（保存処理部）
４１５、６１４  認証部
【図１】
2020009109.tif 000003
【図２】
2020009109.tif 000004
【図３】
2020009109.tif 000005
【図４】
2020009109.tif 000006
【図５】
2020009109.tif 000007
【図６】
2020009109.tif 000008
【図７】
2020009109.tif 000009
【図８】
2020009109.tif 000010
【図９】
2020009109.tif 000011
【図１０】
2020009109.tif 000012
【図１１】
2020009109.tif 000013
【図１２】
2020009109.tif 000014
【図１３】
2020009109.tif 000015
【図１４】
2020009109.tif 000016
【図１５】
2020009109.tif 000017
【図１６】
2020009109.tif 000018
【図１７】
2020009109.tif 000019
【図１８】
2020009109.tif 000020
【図１９】
2020009109.tif 000021
【図２０】
2020009109.tif 000022
【図２１】
2020009109.tif 000023
【図２２】
2020009109.tif 000024